(57)【特許請求の範囲】
【請求項１】
Ｘ線管と、このＸ線管から照射されて被検者を通過したＸ線を検出するＸ線検出器とを備え、Ｘ線撮影を行う、検査室に設置されたＸ線撮影部と、
被検者の音声を聴音するための、前記Ｘ線撮影部の近傍に設置されたマイクと、
前記Ｘ線撮影部を操作するための、操作室に設置された操作部と、
前記操作室に設置されたスピーカと、
前記マイクにより聴音された音声を前記スピーカから出力させる音声制御部と、
を備え、
前記音声制御部は、前記Ｘ線撮影部の操作状況に応じて、前記スピーカから出力される音声のオン、オフを制御することを特徴とする医療用検査装置。
【請求項２】
請求項１に記載の医療用検査装置において、
前記音声制御部は、前記Ｘ線撮影部の操作が一定時間停止したときに、前記スピーカから出力される音声の出力状態をオフとする医療用検査装置。
【請求項３】
請求項２に記載の医療用検査装置において、
前記音声制御部は、前記Ｘ線撮影部の操作が再開されたときに、前記スピーカから出力される音声の出力状態をオンとする医療用検査装置。
【発明の詳細な説明】
【技術分野】
【０００１】
この発明は、例えば、透視撮影を行うＸ線撮影装置等の医療用検査装置に関する。
【背景技術】
【０００２】
医療用の検査を行うためのＸ線撮影装置等においては、一般的に、Ｘ線管と、このＸ線管から照射されて被検者を通過したＸ線を検出するＸ線検出器とを備えた検査部としてのＸ線撮影部が、検査室に設置される。これに対して、Ｘ線撮影部を操作するための操作部は、検査室とは別の操作室に設置される。そして、Ｘ線撮影される被検者とＸ線撮影部を操作するオペレータとは、検査室と操作室とに設置されたマイクとスピーカとを利用して会話を行っている（特許文献１および特許文献２参照）。
【先行技術文献】
【特許文献】
【０００３】
【特許文献１】特願平２−１４９２５６号公報
【特許文献２】実開平４−２５７０２号公報
【発明の概要】
【発明が解決しようとする課題】
【０００４】
このような医療用検査装置において、操作室にいるオペレータが検査室で検査中の被検者に対して話しかけるときには、フットスイッチ等で通話状態をオンとしたうえでマイクに向かって話しかける。このオペレータの音声は、検査室に設置されたスピーカから出力される。一方、検査室において検査を受けている被検者は、スイッチ等の操作をすることは不可能である。従って、検査室に設置されたマイクから操作室に設置されたスピーカへの通話状態は、常にオンとなっている。
【０００５】
このため、検査が完了した後においても、検査室内に設置された機器類の動作音をマイクがひろってしまうことにより、操作室のスピーカからノイズが発生し、操作室にいるオペレータに不快感を与えるという問題が生ずる。これを防止するため、検査終了後にオペレータがスピーカの音量を下げる操作を行うようにしてもよいが、その操作を行うのが煩雑であるばかりではなく、次の検査時に音量が下がったままとなって、被検者の音声が聞き取れないという問題が発生する場合がある。
【０００６】
この発明は上記課題を解決するためになされたものであり、検査を行っていないときに検査室のノイズが操作室に伝わることを防止することが可能な医療用検査装置を提供することを目的とする。
【課題を解決するための手段】
【０００７】
請求項１に記載の発明は、Ｘ線管と、このＸ線管から照射されて被検者を通過したＸ線を検出するＸ線検出器とを備え、Ｘ線撮影を行う、検査室に設置されたＸ線撮影部と、被検者の音声を聴音するための、前記Ｘ線撮影部の近傍に設置されたマイクと、前記Ｘ線撮影部を操作するための、操作室に設置された操作部と、前記操作室に設置されたスピーカと、前記マイクにより聴音された音声を前記スピーカから出力させる音声制御部と、を備え、前記音声制御部は、前記Ｘ線撮影部の操作状況に応じて、前記スピーカから出力される音声のオン、オフを制御することを特徴とする。
【０００８】
請求項２に記載の発明は、請求項１に記載の発明において、前記音声制御部は、前記Ｘ線撮影部の操作が一定時間停止したときに、前記スピーカから出力される音声の出力状態をオフとする。
【０００９】
請求項３に記載の発明は、請求項２に記載の発明において、前記音声制御部は、前記Ｘ線撮影部の操作が再開されたときに、前記スピーカから出力される音声の出力状態をオンとする。
【発明の効果】
【００１０】
請求項１に記載の発明によれば、Ｘ線撮影部の操作状況に応じて、スピーカから出力される音声のオン、オフを制御することから、Ｘ線撮影部の操作を行っていないときに検査室のノイズが操作室に伝わることを防止することが可能となる。
【００１１】
請求項２に記載の発明によれば、Ｘ線撮影部の操作が一定時間停止したときに、音声による連絡が不要と判断してスピーカから出力される音声をオフとすることにより、検査室のノイズが操作室に伝わることを防止することが可能となる。
【００１２】
請求項３に記載の発明によれば、Ｘ線撮影部の操作が再開されたときに、音声による会話を自動的に再開することが可能となる。
【図面の簡単な説明】
【００１３】
【図１】この発明の第１実施形態に係るＸ線撮影装置の概要図である。
【図２】この発明の第２実施形態に係るＸ線撮影装置の概要図である。
【図３】この発明の第３実施形態に係るＸ線撮影装置の概要図である。
【発明を実施するための形態】
【００１４】
以下、この発明に係る医療用検査装置をＸ線撮影装置に適用した実施形態を図面に基づいて説明する。図１は、この発明の第１実施形態に係るＸ線撮影装置の概要図である。
【００１５】
このＸ線撮影装置は、被検者１１を載置するテーブル１２と、Ｘ線管１３と、このＸ線管１３から照射されて被検者１１を通過したＸ線を検出するイメージインテンシファイアやフラットパネルディテクタ等のＸ線検出器１４とを備えたＸ線撮影部を有する。このＸ線撮影部は、検査室Ａに設置されている。
【００１６】
このＸ線撮影部は、検査室Ａに設置された近接操作卓１６と接続されている。また、このＸ線撮影部は、操作室Ｂに設置された遠隔操作卓１７とも接続されている。さらに、テーブル１２には、操作パネル１５が付設されている。Ｘ線撮影部は、これらの近接操作卓１６、遠隔操作卓１７および操作パネル１５のいずれかにより操作される。また、Ｘ線操作部は、検査室Ａに設置された制御部３０とも接続されている。この制御部３０は、記憶部３１と、制御用ＣＰＵ３２とを備える。この記憶部３１には、後述するスピーカ２１から出力される音声をオフとするための、Ｘ線撮影部の操作の停止時間が記憶されている。
【００１７】
ここで、この明細書における「Ｘ線撮影部の操作」とは、実際にＸ線管１３を点灯させて透視等を実行する操作と、オペレータによるＸ線撮影部に対する各種の操作との両者も含む概念である。すなわち、Ｘ線管１３を点灯させて透視を行う撮影操作と、検査開始時にテーブル１２を移動させて被検者１１をテーブル１２上に載せる操作や、その後にテーブル１２を撮影位置まで移動させる操作、あるいは、検査終了後にチューブや内視鏡等を抜去する操作等の準備操作との両方の操作が、この明細書における「Ｘ線撮影部の操作」に含まれる。
【００１８】
検査室Ａには、被検者１１用のスピーカ１８およびマイク１９とが設置されている。一方、操作室Ｂには、オペレータ用のスピーカ２１およびマイク２２と、このマイク２２をオンオフするためのフットスイッチ２３とが設置されている。被検者１１用のスピーカ１８およびマイク１９と、オペレータ用のスピーカ２１、マイク２２およびフットスイッチ２３は、インターホン制御部４０と接続されている。
【００１９】
このインターホン制御部４０は、制御用ＣＰＵ４１と、この制御用ＣＰＵ４１からの信号により、操作室Ｂに設置されたオペレータ用のスピーカ２１から出力される音声のオン、オフを切り換えるスイッチ４２と、フットスイッチ２３からの信号により、検査室Ａに設置された被検者１１用のスピーカ１８から出力される音声のオン、オフを切り換えるスイッチ４３とをそなえる。また、このインターホン制御部４０は、検査室Ａに設置された被検者１１用のマイク１９の信号を増幅して操作室Ｂに設置されたオペレータ用のスピーカ２１に送信するアンプ４４と、操作室Ｂに設置されたオペレータ用のマイク２２の信号を増幅して試験室Ａに設置された被検者１１用のスピーカ１８に送信するアンプ４５とを備える。
【００２０】
なお、このインターホン制御部４０と上述した制御部３０とは、この発明に係る音声制御部を構成する。
【００２１】
以上のような構成を有するＸ線撮影装置において、透視撮影を行う場合には、オペレータは、操作室Ｂにおいて、遠隔操作卓１７からＸ線撮影部を操作して被検者１１の検査を行う。このときには、スイッチ４２は閉じられており、被検者１１の音声は、マイク１９により聴音され、アンプ４４を介して操作室Ｂに設置されたオペレータ用のスピーカ２１から出力される。また、スイッチ４３はオペレータがフットスイッチ２３を操作したときに閉じられ、そのときには、オペレータの音声は、マイク２２により聴音され、アンプ４５を介して検査室Ａに設置された被検者１１用のスピーカ１８から出力される。
【００２２】
Ｘ線透視による検査が終了し、制御部３０における記憶部３１に記憶されたＸ線撮影の停止時間以上の時間が経過すれば、制御部３０の制御用ＣＰＵ３２からインターホン制御部４０の制御用ＣＰＵ４１に信号が送信され、スイッチ４２が開放される。これにより、操作室Ｂに設置されたオペレータ用のスピーカ２１から出力される音声がオフとなる。このため、検査室Ａのノイズが操作室Ｂに伝わることを防止することが可能となる。なお、記憶部３１に記憶されたＸ線撮影部の操作の停止時間は、例えば、３分程度の時間である。
【００２３】
次の被検者１１が検査室Ａに入室し、次の検査のためにＸ線撮影部の操作が再開された場合には、制御部３０の制御用ＣＰＵ３２からインターホン制御部４０の制御用ＣＰＵ４１に信号が送信され、スイッチ４２が閉じられる。これにより、操作室Ｂに設置されたオペレータ用のスピーカ２１から出力される音声がオンとなる。このため、被検者１１の音声は、マイク１９を介して操作室Ｂに設置されたオペレータ用のスピーカ２１から出力され、オペレータに伝達される。
【００２４】
次に、この発明の他の実施形態について説明する。図２は、この発明の第２実施形態に係るＸ線撮影装置の概要図である。なお、上述した第１実施形態と同一の部材については、同一の符号を付して詳細な説明を省略する。
【００２５】
上述した第１実施形態においては、Ｘ線撮影部の操作が一定時間停止したときに、操作室Ｂに設置されたオペレータ用のスピーカ２１から出力される音声の出力状態をオフとしている。これに対して、この第２実施形態においては、Ｘ線撮影部付近、より具体的には、テーブル１２上に被検者１１がいないときに、操作室Ｂに設置されたオペレータ用のスピーカ２１から出力される音声の出力状態をオフとしている。
【００２６】
すなわち、この第２実施形態においては、第１実施形態におけるＸ線撮影部の操作の停止時間が記憶された記憶部３１を省略し、これに変えて、テーブル１２上の被検者１１を検出する近接センサ３３を配設している。そして、この近接センサ３３がテーブル１２上に被検者１１がいることを検出したときのみ、制御部３０の制御用ＣＰＵ３２からインターホン制御部４０の制御用ＣＰＵ４１に信号が送信され、スイッチ４２が閉じられる。これにより、操作室Ｂに設置されたオペレータ用のスピーカ２１から出力される音声がオンとなる。このため、被検者１１が不在で検査が行われていない場合に、検査室Ａのノイズが操作室Ｂに伝わることを防止することが可能となる。
【００２７】
次に、この発明のさらに他の実施形態について説明する。図３は、この発明の第３実施形態に係るＸ線撮影装置の概要図である。なお、上述した第１、第２実施形態と同一の部材については、同一の符号を付して詳細な説明を省略する。
【００２８】
上述した第１実施形態においては、Ｘ線撮影部の操作が一定時間停止したときに、操作室Ｂに設置されたオペレータ用のスピーカ２１から出力される音声の出力状態をオフとしている。これに対して、この第３実施形態においては、検査室内に被検者１１またはオペレータ等の人がいないときに、操作室Ｂに設置されたオペレータ用のスピーカ２１から出力される音声の出力状態をオフとしている。
【００２９】
すなわち、この第３実施形態においては、第１実施形態におけるＸ線撮影部の操作の停止時間が記憶された記憶部３１を省略し、これに変えて、検査室Ａ内の人の有無を検出する超音波センサ３４を配設している。そして、この超音波センサ３４が検査室Ａ内に人がいることを検出したときのみ、制御部３０の制御用ＣＰＵ３２からインターホン制御部４０の制御用ＣＰＵ４１に信号が送信され、スイッチ４２が閉じられる。これにより、操作室Ｂに設置されたオペレータ用のスピーカ２１から出力される音声がオンとなる。このため、検査室Ａ内に被検者１１やオペレータ等の人が不在で検査が行われていない場合に、検査室Ａのノイズが操作室Ｂに伝わることを防止することが可能となる。
【００３０】
なお、上述した第１、第２、第３実施形態においては、いずれも、Ｘ線撮影部の操作状況に応じて、操作室Ｂに設置されたオペレータ用のスピーカ２１から出力される音声のオン、オフを切り換えている。しかしながら、スピーカ２１から出力される音声の音量を、例えば、通常値と最小値との間で切り換えるなど、スピーカ２１から出力される音声の音量を制御するようにしてもよい。
【符号の説明】
【００３１】
１１ 被検者
１３ Ｘ線管
１４ Ｘ線検出部
１８ スピーカ
１９ マイク
２１ スピーカ
２２ マイク
２３ フットスイッチ
３０ 制御部
３１ 記憶部
３２ 制御用ＣＰＵ
３３ 近接センサ
３４ 超音波センサ
４０ インターホン制御部
４１ 制御用ＣＰＵ
４２ スイッチ
４３ スイッチ
Ａ 検査室
Ｂ 操作室 
【図１】
0005585196.tif 000002
【図２】
0005585196.tif 000003
【図３】
0005585196.tif 000004